(57)【要約】【課題】  白色ＬＥＤ光をベースとしたＬＥＤ照明装置において、大きな範囲で詳細に色度を変化させる技術を実現すること。【解決手段】  第１のＬＥＤと、前記第１のＬＥＤを収容するパッケージと、前記パッケージを充填し、前記第１のＬＥＤが発光したときに白色光を発生する蛍光体を含む透明体と、複数設けられたＬＥＤと、を備え、前記第１のＬＥＤおよび複数のＬＥＤはそれぞれ異なるドミナント波長を有する。【選択図】  図１
2009176661.tif 000002
【特許請求の範囲】
【請求項１】
第１のＬＥＤと、
前記第１のＬＥＤを収容するパッケージと、
前記パッケージを充填し、前記第１のＬＥＤが発光したときに白色光を発生する蛍光体を含む透明体と、
複数設けられたＬＥＤと、を備え、
前記第１のＬＥＤおよび複数のＬＥＤはそれぞれ異なるドミナント波長を有するＬＥＤ照明装置。
【請求項２】
第１のＬＥＤと、
前記第１のＬＥＤを収容するパッケージと、
前記パッケージを充填する透明体と、
前記透明体を覆い、前記第１のＬＥＤが発光したときに白色光を発生する蛍光体を含む透明体と、
複数設けられたＬＥＤと、を備え、
前記第１のＬＥＤおよび複数のＬＥＤはそれぞれ異なるドミナント波長を有するＬＥＤ照明装置。
【請求項３】
請求項１または請求項２記載のＬＥＤ照明装置において、
前記複数のＬＥＤは、前記パッケージ内に前記第１のＬＥＤとともに収納されるＬＥＤ照明装置。
【請求項４】
請求項１ないし請求項３のいずれかに記載のＬＥＤ照明装置において、
前記第１のＬＥＤは青色光を発生するＬＥＤ照明装置。
【請求項５】
請求項１または請求項２記載のＬＥＤ照明装置において、
前記第１のＬＥＤは紫外光を発生するＬＥＤ照明装置。
【発明の詳細な説明】
【技術分野】
【０００１】
本発明はＬＥＤ（Light Emitting Diode）を用いた照明装置に関する。
【背景技術】
【０００２】
ＬＥＤを用いた照明装置として、特許文献１（特開２００４−８００４６号公報）に開示されるものがある。
【０００３】
特許文献１には、赤色ＬＥＤ素子、緑色ＬＥＤ素子、青色ＬＥＤ素子を組み合わせて白色発光とする場合には色むらが生じやすいとし、青色ＬＥＤ素子と黄色蛍光体とを組み合わせて白色発光を得る場合には赤色の再現性が低いと記載され、白色ＬＥＤと赤色ＬＥＤを組み合わせることで白色ＬＥＤに不足している赤色の成分を補うことにより演色性の高いＬＥＤ照明とする技術が開示されている。
【特許文献１】特開２００４−８００４６号公報
【発明の開示】
【発明が解決しようとする課題】
【０００４】
現在、ショーケースなどの照明には蛍光灯が使われている。照明する対象が決まっている場合、所望の色を際立たせた照明が求められる。例えば、食肉用ショーケースの場合には赤の成分が多いスペクトル分布を持つ光源で照らすことでより新鮮に見え、野菜用ショーケースの場合には緑の成分が多いスペクトル分布を持つ光源で照らすことでより新鮮に見えたりする。しかし、店内の照明の違いや人の好みによって求められる光色が微妙に異なることがしばしばある。
【０００５】
現在、ショーケース用のＬＥＤ照明装置の販売、開発は、客先に蛍光灯のサンプルを持参し、その場でサンプルを発光させ、顧客の反応をみるという方法が採られている。
【０００６】
持参したサンプルの中に顧客が求める発光特性のものがなければ、あらたな発光特性の再度試作し直して再度持参する必要があり、時間もコストもかかる方法となっている。
【０００７】
特許文献１に開示される技術では、白色ＬＥＤと赤色ＬＥＤを組み合わせることで白色ＬＥＤに不足している赤色の成分を補うことが行われているが、１つの赤色ＬＥＤによって強度を制御することから、大きな範囲で詳細に光色制御は困難である。
【０００８】
ショーケースのように特定の対象を照明する場合、より美しく見せるために、特定の色を際立たせることが求められる。そのためにはある領域で大きな範囲で詳細に色度を変化させる必要がある。
【０００９】
本発明は白色ＬＥＤ光をベースとしたＬＥＤ照明装置において、大きな範囲で詳細に色度を変化させる技術を実現することを目的とする。
【課題を解決するための手段】
【００１０】
本発明によるＬＥＤ照明装置は、第１のＬＥＤと、
前記第１のＬＥＤを収容するパッケージと、
前記パッケージを充填し、前記第１のＬＥＤが発光したときに白色光を発生する蛍光体を含む透明体と、
複数設けられたＬＥＤと、を備え、
前記第１のＬＥＤおよび複数のＬＥＤはそれぞれ異なるドミナント波長を有する。
【００１１】
本発明の他の形態によるＬＥＤ照明装置は、第１のＬＥＤと、
前記第１のＬＥＤを収容するパッケージと、
前記パッケージを充填する透明体と、
前記透明体を覆い、前記第１のＬＥＤが発光したときに白色光を発生する蛍光体を含む透明体と、
複数設けられたＬＥＤと、を備え、
前記第１のＬＥＤおよび複数のＬＥＤはそれぞれ異なるドミナント波長を有する。
【発明の効果】
【００１２】
上記のように構成される本発明においては、第１のＬＥＤと蛍光体を含む透明体により白色光が得られ、さらにドミナント波長の異なる複数のＬＥＤを備えている。各ＬＥＤの点灯状態を異なるものとすることにより、様々なスペクトル分布の光を得ることができ、１つのＬＥＤ照明装置の光色を大きな範囲で詳細に色度を変化させることが可能となる。このようなＬＥＤ照明装置では顧客が求める発光特性の実現性が高いものとなるため、顧客に好みの色を選らんでもらうことが可能となり、そのデータを基に照明設計を行うことで、時間とコストの削減につながる。
【発明を実施するための最良の形態】
【００１３】
次に、本発明の実施例について図面を参照して説明する。
【００１４】
図１は本発明によるＬＥＤ照明装置の一実施例の構成を示す断面図である。
【００１５】
プラスチックやセラミックなどでできたパッケージ４の底面に青色ＬＥＤ１と赤色ＬＥＤ２、赤色ＬＥＤ３が配置され、各ＬＥＤの上部には蛍光体を混合した蛍光体を含む透明体５が充填されている。
【００１６】
図２は各ＬＥＤの配置状態を示す上面図であり、青色ＬＥＤ１を挟んで赤色ＬＥＤ２、赤色ＬＥＤ３が対称となるように配置されている。
【００１７】
図３は各ＬＥＤをそれぞれ個別に発光させたときのＬＥＤ照明装置のスペクトル分布を示す図である。
【００１８】
図３に示されるように、各ＬＥＤのいずれもドミナント波長が異なるものとされている。また、青色ＬＥＤ１の発光により蛍光が発生し、青色ＬＥＤ１発光時には緑光、赤光も発生し、全体として白色が観測される。なお、青色ＬＥＤは紫外光を発生するＬＥＤとしてもよい。
【００１９】
本実施例のＬＥＤ照明装置は、青色ＬＥＤ１を主照明源とし、各ＬＥＤのうち、青色ＬＥＤ１には最も出力が大きいものを使用し、赤色ＬＥＤ２、赤色ＬＥＤ３の発光を光色の制御に用いる。各ＬＥＤの駆動回路（不図示）はそれぞれ分離し、各々の発光を個別に制御できるように構成されている。青色ＬＥＤ１と赤色ＬＥＤ２、３は別パッケージとしてもよい。
【００２０】
図４に示すように青色ＬＥＤ１と赤色ＬＥＤ３とを発光させた場合には図５に示すスペクトル分布となる。図６に示すように青色ＬＥＤ１と赤色ＬＥＤ２とを発光させた場合には図７に示すスペクトル分布となる。図８に示すように青色ＬＥＤ１と赤色ＬＥＤ２、３を発光させた場合には図９に示すスペクトル分布となる。
【００２１】
次に、本発明の第２の実施例について図面を参照して説明する。
【００２２】
図１０は本発明によるＬＥＤ照明装置の第２の実施例の構成を示す断面図である。
【００２３】
プラスチックやセラミックなどでできたパッケージ１４の底面に青色ＬＥＤ１１と緑色ＬＥＤ１２、緑色ＬＥＤ１３が配置され、各ＬＥＤの上部には蛍光体を混合した蛍光体を含む透明体１５が充填されている。
【００２４】
図１１は各ＬＥＤの配置状態を示す上面図であり、青色ＬＥＤ１１を挟んで緑色ＬＥＤ１２、緑色ＬＥＤ１３が対称となるように配置されている。
【００２５】
図１２は各ＬＥＤをそれぞれ個別に発光させたときのＬＥＤ照明装置のスペクトル分布を示す図である。
【００２６】
図１２に示されるように、各ＬＥＤのいずれもドミナント波長が異なるものとされている。また、青色ＬＥＤ１１の発光により蛍光が発生し、青色ＬＥＤ１１発光時には緑光、赤光も発生し、全体として白色が観測される。なお、青色ＬＥＤは紫外光を発生するＬＥＤとしてもよい。
【００２７】
本実施例のＬＥＤ照明装置は、青色ＬＥＤ１１を主照明源とし、各ＬＥＤのうち、青色ＬＥＤ１１には最も出力が大きいものを使用し、緑色ＬＥＤ１２、緑色ＬＥＤ１３の発光を光色の制御に用いる。各ＬＥＤの駆動回路（不図示）はそれぞれ分離し、各々の発光を個別に制御できるように構成されている。青色ＬＥＤ１１と緑色ＬＥＤ１２、１３は別パッケージとしてもよい。
【００２８】
図１３に示すように青色ＬＥＤ１１と緑色ＬＥＤ１３とを発光させた場合には図１４に示すスペクトル分布となる。図１５に示すように青色ＬＥＤ１１と緑色ＬＥＤ１２とを発光させた場合には図１６に示すスペクトル分布となる。図１７に示すように青色ＬＥＤ１１と緑色ＬＥＤ１２、１３を発光させた場合には図１８に示すスペクトル分布となる。
【００２９】
なお、実施例として示した構造は透明体に蛍光体を混合したものでパッケージ全体を封止したものであるが、図１９に示すようにＬＥＤ封止部と蛍光体含有部を分離させた構造でもよい。
【００３０】
図１９に示す例では、プラスチックやセラミックなどでできたパッケージ１０４の底面に青色ＬＥＤ１０１と赤色ＬＥＤ１０２、赤色ＬＥＤ１０３が配置され、各ＬＥＤの上部には透明体１０６が充填され、透明体１０６を覆う形態の蛍光体を混合した蛍光体を含む透明体１０５が戴置されている。
【００３１】
また、紫外LEDを励起光として使用する場合はドミナント波長の異なる青色LEDを複数搭載することで、青の領域でも詳細な色度制御が可能となり、このような構成としてもよい。
【図面の簡単な説明】
【００３２】
【図１】本発明によるＬＥＤ照明装置の一実施例の構成を示す断面図である。
【図２】図１に示した実施例の各ＬＥＤの配置状態を示す上面図である。
【図３】図１に示した実施例の各ＬＥＤをそれぞれ個別に発光させたときのＬＥＤ照明装置のスペクトル分布を示す図である。
【図４】図１に示した実施例の各ＬＥＤの発光状態を示す図である。
【図５】図４に示した発光状態におけるＬＥＤ照明装置のスペクトル分布を示す図である。
【図６】図１に示した実施例の各ＬＥＤの発光状態を示す図である。
【図７】図６に示した発光状態におけるＬＥＤ照明装置のスペクトル分布を示す図である。
【図８】図１に示した実施例の各ＬＥＤの発光状態を示す図である。
【図９】図８に示した発光状態におけるＬＥＤ照明装置のスペクトル分布を示す図である。
【図１０】本発明によるＬＥＤ照明装置の第２の実施例の構成を示す断面図である。
【図１１】図１０に示した実施例の各ＬＥＤの配置状態を示す上面図である。
【図１２】図１０に示した実施例の各ＬＥＤをそれぞれ個別に発光させたときのＬＥＤ照明装置のスペクトル分布を示す図である。
【図１３】図１０に示した実施例の各ＬＥＤの発光状態を示す図である。
【図１４】図１３に示した発光状態におけるＬＥＤ照明装置のスペクトル分布を示す図である。
【図１５】図１０に示した実施例の各ＬＥＤの発光状態を示す図である。
【図１６】図１５に示した発光状態におけるＬＥＤ照明装置のスペクトル分布を示す図である。
【図１７】図１０に示した実施例の各ＬＥＤの発光状態を示す図である。
【図１８】図１７に示した発光状態におけるＬＥＤ照明装置のスペクトル分布を示す図である。
【図１９】本発明によるＬＥＤ照明装置の他の実施例の構成を示す断面図である。
【符号の説明】
【００３３】
１、１１、１０１    青色ＬＥＤ
２、３、１０２、１０３    赤色ＬＥＤ
４、１４、１０４    パッケージ
５、１５、１０５    蛍光体を含む透明体
１２、１３    緑色ＬＥＤ
１０６    透明体
【図１】
2009176661.tif 000003
【図２】
2009176661.tif 000004
【図３】
2009176661.tif 000005
【図４】
2009176661.tif 000006
【図５】
2009176661.tif 000007
【図６】
2009176661.tif 000008
【図７】
2009176661.tif 000009
【図８】
2009176661.tif 000010
【図９】
2009176661.tif 000011
【図１０】
2009176661.tif 000012
【図１１】
2009176661.tif 000013
【図１２】
2009176661.tif 000014
【図１３】
2009176661.tif 000015
【図１４】
2009176661.tif 000016
【図１５】
2009176661.tif 000017
【図１６】
2009176661.tif 000018
【図１７】
2009176661.tif 000019
【図１８】
2009176661.tif 000020
【図１９】
2009176661.tif 000021